(57)【特許請求の範囲】
【請求項１】
上方が開口する調理器本体と、該調理器本体に載置される受け皿と、該調理器本体に配置されるヒータとを備えた電気調理器に用いられる焼き肉プレートにおいて、  該受け皿、ヒータの上方を覆うように配置され、  下方に配置される受け皿に対して加熱調理汁を落下させる多数の汁落とし孔による網目部を備え、  この網目部の汁落とし孔が該プレートの表面から裏面にかけて加熱調理汁を流下させるための傾斜面を有して形成され、  直線状部と湾曲部とを交互に連結することにより全体が波状を呈して蛇行する平面ヒータとして構成される前記ヒータの直線状部と隣接する直線状部との間に形成される複数の隙間空間内に収容配置されるとともに該ヒータを跨いだ連結金具により一体的に連結される複数の受け皿を備える前記電気調理器に用いられる焼き肉プレートであって、  前記焼き肉プレートの網目部における多数の汁落とし孔が、前記複数の受け皿に加熱調理汁を落下させるように、該プレート上に偏在して形成されていることを特徴とする焼き肉プレート。
【請求項２】
前記焼き肉プレートの網目部は、前記汁落とし孔に対してプレートの面方向に所定長さをもつ長傾斜面をもつ長傾斜面孔と、前記汁落とし孔に対しプレートの面方向の長さが短い傾斜面で構成される短傾斜面孔との組み合わせによって構成されており、  これらの長傾斜面孔と短傾斜面孔とは、プレート下方のヒータを避けて各受け皿に加熱調理汁を集中落下させるような配列で形成されていることを特徴とする請求項１に記載の焼き肉プレート。
【請求項３】
前記網目部における汁落とし孔は矩形状を呈し、その少なくとも１辺がプレートの面方向に所定長さをもつ長傾斜面として形成されていることを特徴とする請求項１または請求項２のいずれか１項に記載の焼き肉プレート。
【請求項４】
請求項１ないし請求項３のいずれか１項に記載の焼き肉プレートを備えていることを特徴とする電気調理器。
【発明の詳細な説明】
【技術分野】
【０００１】  本発明は、焼き肉等といった加熱調理を行う際に用いて好適な焼き肉プレート及びこれを用いたホットプレート等の電気調理器に関する。
【背景技術】
【０００２】  従来から卓上電気調理器として、種々の構造のものが知られている。  この種の電気調理器として最も単純な構造のものは、角型浅皿状に形成された調理器本体内に電熱線、シーズヒータ等の線状ヒータを波状に湾曲、屈曲させて配置するとともに、加熱調理時に生じる肉汁、油、水などといった加熱調理汁等を溜める受け皿を配置し、その上部に焼き肉プレート等の調理プレートを載置し、ヒータからの加熱で肉、野菜、その他の食物を適宜加熱して調理することができるように構成されている。【０００３】  そして、前記調理プレートには、加熱調理汁、特に肉汁や該肉から流出した油、水等を下方に受け皿に落下流出させるための孔が適宜の配列で開けられている（例えば、特許文献１参照）。  この特許文献１では、プレート上の周壁に接近した位置に個数が多く、内側となる領域には最小限の個数の孔を設けている。
【先行技術文献】
【特許文献】
【０００４】
【特許文献１】特開平９−２９９２４７号公報
【発明の概要】
【発明が解決しようとする課題】
【０００５】  しかし、上述した従来の調理プレートでは、焼き肉などの加熱調理時に生じる加熱調理汁等を適切かつ確実に流出させて落下回収するうえで問題であった。すなわち、上述した従来の調理プレートでは、プレート上に突設した突条と突条との間の溝部分に単純な形状の孔を設けただけのものであり、肉汁、油、水等の加熱調理汁を適切かつ確実に下方の受け皿に導くことができにくいといった問題があった。【０００６】  さらに、このような単純な孔を設けただけでは、加熱調理後に洗浄等で油等を除去しようとしても、確実性に欠け、また孔の深さが深い場合には、洗いにくく、洗浄等で完全に除去できるとは言いにくいものであった。【０００７】  また、上述した従来の調理プレートでは、周辺部分に多数の孔を設けているから、下方に配置させる受け皿の形状が大きくなり、取り扱いが面倒かつ煩雑となる等の問題もあった。  さらに、上述した従来の調理プレートでは、調理すべき食品によっては、焼き目、風合いの面で問題をもつものであり、これらの問題点を解決し得る何らかの対策を講じることが望まれている。【０００８】  本発明はこのような事情に鑑みてなされたものであり、加熱調理時に生じる加熱調理汁をその下方に配置される受け皿に対し集中落下させて回収可能であり、また加熱調理時の焼き目、風合い等も向上し、さらに加熱調理後の洗浄時に洗い易い焼き肉プレート及びこれを用いた加熱調理器を得ることを目的とする。
【課題を解決するための手段】
【０００９】  このような目的に応えるために本発明（請求項１記載の発明）に係る焼き肉プレートは、  上方が開口する調理器本体と、該調理器本体に載置される受け皿と、該調理器本体に配置されるヒータとを備えた電気調理器に用いられる焼き肉プレートにおいて、該受け皿、ヒータの上方を覆うように配置され、下方に配置される受け皿に対して加熱調理汁を落下させる多数の汁落とし孔による網目部を備え、この網目部の汁落とし孔が該プレートの表面から裏面にかけて加熱調理汁を流下させるための傾斜面を有して形成され、直線状部と湾曲部とを交互に連結することにより全体が波状を呈して蛇行する平面ヒータとして構成される前記ヒータの直線状部と隣接する直線状部との間に形成される複数の隙間空間内に収容配置されるとともに該ヒータを跨いだ連結金具により一体的に連結される複数の受け皿を備える前記電気調理器に用いられる焼き肉プレートであって、前記焼き肉プレートの網目部における多数の汁落とし孔が、前記複数の受け皿に加熱調理汁を落下させるように、該プレート上に偏在して形成されていることを特徴とする。【００１０】  本発明（請求項２記載の発明）に係る焼き肉プレートは、請求項１に記載の焼き肉プレートであって、前記焼き肉プレートの網目部は、前記汁落とし孔に対してプレートの面方向に所定長さをもつ長傾斜面をもつ長傾斜面孔と、前記汁落とし孔に対しプレートの面方向の長さが短い傾斜面で構成される短傾斜面孔との組み合わせによって構成されており、これらの長傾斜面孔と短傾斜面孔とは、プレート下方のヒータを避けて各受け皿に加熱調理汁を集中落下させるような配列で形成されていることを特徴とする。【００１１】  本発明（請求項３記載の発明）に係る焼き肉プレートは、請求項１または請求項２のいずれか１項に記載の焼き肉プレートであって、前記網目部における汁落とし孔は矩形状を呈し、その少なくとも１辺がプレートの面方向に所定長さをもつ長傾斜面として形成されていることを特徴とする。【００１２】  本発明（請求項４記載の発明）に係る電気調理器は、請求項１ないし請求項３のいずれか１項に記載の焼き肉プレートを備えていることを特徴とする。【００１３】  本発明によれば、焼き肉プレート上に網目部として多数の汁落とし孔を該プレートの表面から裏面にかけて加熱調理汁を流下させるための傾斜面を有して形成し、ヒータ上に加熱調理汁が落下しないようにヒータの上方に該汁落とし孔の傾斜面を配置しているから、加熱調理時に生じる加熱調理汁を該汁落とし孔の下方に配置される受け皿に対して集中的に落下させて回収することができる。
【発明の効果】
【００１４】  以上説明したように本発明に係る焼き肉プレートによれば、加熱調理時に生じる加熱調理汁をその下方に配置される受け皿に対し集中落下させて回収することができ、また加熱調理後における焼き肉プレートの洗浄、掃除などを所要の状態で適切かつ確実に行えるといった実用上種々優れた効果がある。【００１５】  特に、本発明によれば、上述した傾斜面をもつ多数の汁落とし孔をもつ網目部を設けているから、洗浄時などにおいて洗い易いといった利点がある。【００１６】  さらに、本発明によれば、網目部を長傾斜面孔と短傾斜面孔との組み合わせで形成しており、上述した洗浄時において洗い易いという効果を発揮し得るばかりでなく、加熱調理時の焼き目、風合い等を向上させ、所要の加熱調理が行えるといった利点もある。【００１７】  また、本発明によれば、網目部における多数の汁落とし孔をプレート上に偏在させて設けているから、その下方に配置される受け皿が複数個であったり、偏在して位置している場合にあっても、加熱調理汁等の落下回収を適切かつ確実に行えるという利点がある。
【図面の簡単な説明】
【００１８】
【図１】本発明に係る焼き肉プレート及び電気調理器の一実施形態を示す全体の概略斜視図である。
【図２】図１の電気調理器において、焼き肉プレートを含む要部の概略分解斜視図である。
【図３】図１，２の電気調理器において、受け皿とヒータとの関係を示す要部断面図である。
【図４】図１〜図３の電気調理器において、受け皿とヒータとの関係を拡大して示す概略斜視図である。
【図５】図１〜図４の電気調理器において、調理器本体の概略平面図である。
【図６】図１〜図５の電気調理器において、本発明を特徴づける焼き肉プレートにおける網目部を拡大して示す要部拡大平面図である。
【図７】図１〜図６の電気調理器において、本発明を特徴づける焼き肉プレートの網目部と受け皿との関係を示す要部断面図である。
【発明を実施するための形態】
【００１９】  図１ないし図７は本発明に係る焼き肉プレート及びこれを用いる電気調理器の一実施形態を示す。  これらの図において、符号１で示す電気調理器は、上方が開口し全体がほぼ角型浅皿状を呈するように形成された調理器本体２を備えている。この調理器本体２内には、受け皿３（３ａ，３ｂ，３ｃ）が本体２の内側底部に載置して配設されるとともに、この受け皿３上にヒータ４が配置されるように設けられている。
【００２０】  ここで、この本体２の内側底部には、図３、図７等に示すように、凹部８が形成され、該受け皿３（３ａ，３ｂ，３ｃ）の面方向の位置ずれを規制するようになっている。このようにすれば、受け皿３（３ａ，３ｂ，３ｃ）を取り外した後に外側から組み込んで収納配置させるうえでの作業性の面で有利である。
【００２１】  また、上記ヒータ４の上側には、図１、図２から明らかなように、これを覆うように配置されることにより下方から加熱される加熱調理用のプレート、ここでは、網目部１２を有する焼き肉プレート１０が載置されるように構成され、その上部には、調理蓋９が載せられることにより、電気調理器１が構成されるようになっている。
【００２２】  前記ヒータ４は、図１，図２、図５等に示すように、直線状部４ａと湾曲部４ｂとを交互に連結することにより全体が波状を呈して蛇行する平面ヒータとして構成され、調理器本体２の内側底部から所定の高さ位置に位置するようにして該調理器本体２内に設置固定されている。
【００２３】  なお、このようなヒータ４は、図１、図２、図５等から明らかなように、複数個の支持具や基端部が、調理器本体２の内側底部から所定の高さ位置に浮いた状態となるように保持されている。さらに、ヒータ４の基端部には、外部電源（図示せず）と電気的に接続され、加熱されて発熱するような電気コードが接続されるコード接続部等が調理器本体２の外側に設けられている。
【００２４】  この実施形態では、前記ヒータ４の直線状部４ａと隣接する直線状部４ａとの間には、複数の隙間空間５（５ａ，５ｂ，５ｃ）が形成され、これらの隙間空間５（５ａ，５ｂ，５ｃ）内に、前記複数の受け皿３（３ａ，３ｂ，３ｃ）が収容して配置されるように構成されている。このようにすれば、受け皿３（３ａ，３ｂ，３ｃ）を、ヒータ４とは無関係に持ち上げて取り外すことができるものであり、加熱調理後において洗浄、掃除等を行う際に便利である。
【００２５】  また、この実施形態では、上述した複数の受け皿３（３ａ，３ｂ，３ｃ）を、図１、図３、図４、図５等から明らかなように、複数の連結金具７を用いて前記ヒータ４を跨いで一体的に連結しており、これによりヒータ４に関係なく、一体的に持ち上げて取り外すことができるように構成されている。
【００２６】  前記連結金具７は隣接する受け皿３ａ，３ｂまたは３ｂ，３ｃの側縁部にかしめ等で固定されるとともに、前記ヒータ４の直線状部４ａの上方を跨ぐように形成された橋絡部を有する形状で形成されている。ここで、この橋絡部は、ヒータ４とは接触せずに、所定間隙をおいて跨ぐような形状となっている。
【００２７】  さらに、この実施形態では、ヒータ４の直線状部４ａを、図３、図４に示すように、直線状部を跨ぐ連結金具の橋絡部よりも下側を通過するように下方に屈曲形成されている。なお、図中４ｃは屈曲部である。  このような構成とすれば、ヒータ４、受け皿３等の調理器本体２内への組込み部材を、必要最小限の高さ寸法で構成することができ、電気調理器１の厚みを薄くするうえで効果を発揮し得るものである。
【００２８】  上述した構成によれば、受け皿３（３ａ，３ｂ，３ｃ）を複数に分割形成し、ヒータ４の直線状部４ａ間の隙間空間に上方から収納して設置可能にし、かつ複数個をヒータ４を跨いで連結する連結金具７で一体的に構成しているから、必要時には、複数の受け皿３（３ａ，３ｂ，３ｃ）を持ち上げるだけで、ヒータ４の下側に設置される受け皿３を調理器本体２から簡単に取り外し、加熱調理汁等の廃棄や汚れの除去等の洗浄、清掃作業をきわめて容易に行える。
【００２９】  しかも、このような受け皿３（３ａ，３ｂ，３ｃ）やこれらを連結する連結金具７は、ヒータ機能には何ら影響を与えず、またヒータとは無関係に持ち上げて取り外すことができるものであり、従来のようにヒータ４を跳ね上げ回動させたり、取り外し可能に構成する等といった可動電装部を有するような故障の可能性の高い構造を採用する必要がなくなる。
【００３０】  本発明によれば、上述したような調理器本体２内で受け皿３（３ａ，３ｂ，３ｃ）やヒータ４の上側に覆うように設置される調理プレートの一つである焼き肉プレート１０は、図１、図２、図６、図７等に示されるように、アルミニウム合金等のダイキャスト成形などにより、以下のような構造で形成されている。
【００３１】  すなわち、電気調理器１に用いられる焼き肉プレート１０は、受け皿３、ヒータ４の上方を覆うように配置され、下方に配置される受け皿３に対して加熱調理汁を落下させる多数の汁落とし孔１４による網目部１２を備えている。この網目部１２の汁落とし孔１４は、該プレート１０の表面から裏面にかけて加熱調理汁を流下させるための傾斜面（１６ａ，１８ａ等）を有して形成されている。
【００３２】  ここで、この実施形態では、前述した電気調理器１のように、ヒータ４の直線状部４ａと隣接する直線状部４ａとの間に形成される複数の隙間空間５ａ，５ｂ，５ｃ内に収容配置されるとともに該ヒータ４を跨いだ連結金具７により一体的に連結される複数の受け皿３ａ，３ｂ，３ｃを備えている場合において、焼き肉プレート１０の網目部１２における多数の汁落とし孔１４を、各受け皿３ａ，３ｂ，３ｃに加熱調理汁を落下させるように、該プレート１０上に偏在して形成している。
【００３３】  このように構成すれば、網目部１２における多数の汁落とし孔１４が、その下方に配置される受け皿３ａ，３ｂ，３ｃに合わせて偏在しているから、加熱調理汁等の落下回収を適切かつ確実に行える。また、このような構成では、汁落とし孔１４からの加熱調理汁などがヒータ４に落下する虞れはなく、該ヒータ４を避けて受け皿３に落下回収されることから、ヒータ４の加熱性能に悪影響を及ぼす危険性はなくなり、電気調理器１としての性能を発揮させることができる。
【００３４】  また、前記焼き肉プレート１０の網目部１２は、図６、図７に示されるように、前記汁落とし孔１４に対してプレート１０の面方向に所定長さをもつ長傾斜面１６ａをもつ長傾斜面孔１６と、前記汁落とし孔１４に対しプレート１０の面方向の長さが短い傾斜面１８ａで構成される短傾斜面孔１８との組み合わせによって構成されている。ここで、これらの長傾斜面孔１６と短傾斜面孔１８とは、プレート１０下方のヒータ４を避けて各受け皿３ａ，３ｂ，３ｃに加熱調理汁を集中落下させるような配列で形成されている。
【００３５】  このように構成すれば、網目部１２が長傾斜面孔１６と短傾斜面孔１８との組み合わせで形成されており、上述した洗浄時において洗い易いという効果を発揮し得るものである。さらに、このような長傾斜面孔１６、短傾斜面孔１８による網目部１２によれば、加熱調理時の焼き目、風合い等が向上し、所要の加熱調理が行えるといった利点もある。
【００３６】  ここで、前記網目部１２における汁落とし孔１４は矩形状を呈し、その少なくとも１辺がプレート１０の面方向に所定長さをもつ長傾斜面１６ａとして形成されている。  このように構成すれば、上述した通り、加熱調理時に生じる加熱調理汁をその下方に配置される受け皿３（３ａ，３ｂ，３ｃ）に対して集中的に落下させて回収することができるとともに、洗浄時に洗い易いといった利点がある。
【００３７】  また、この実施形態では、焼き肉プレート１０において中央部に網目部１２を設け、その両側に平坦なプレート面を形成しており、例えば網目部１２で焼き肉等を、平坦面部分で野菜焼き等の加熱調理を適切かつ確実に行える。
【００３８】  なお、本発明は上述した実施の形態で説明した構造には限定されず、電気調理器１を構成する各部の形状、構造等を適宜変形、変更し得ることはいうまでもない。
【００３９】  たとえば上述した実施形態では、電気調理器１として焼き肉プレート１０を利用したホットプレートとして説明したが、本発明はこれに限らず、一般的な平面プレート、あるいはたこ焼き用の半球状の凹部が多数配列されているようなたこ焼きプレート、その他、適宜の調理プレートを備えているものにでも適用できることは言うまでもない。勿論、電気調理器１として、上述したような複数枚の調理プレートをセットとして備え、該調理プレートを適宜選択して調理するものであってもよい。
【符号の説明】
【００４０】  １  電気調理器  ２  調理器本体  ３（３ａ，３ｂ，３ｃ）  受け皿  ４  ヒータ  ４ａ  直線状部  ４ｂ  湾曲部  ４ｃ  屈曲部  ５（５ａ，５ｂ，５ｃ）  隙間空間  ７  連結金具  ８  凹部  ９  調理器蓋１０  焼き肉プレート１２  網目部１４  汁落とし孔１６  長傾斜面孔１６ａ  長傾斜面１８  短傾斜面孔１８ａ  短傾斜面
【図１】
0005600793.tif 000002
【図２】
0005600793.tif 000003
【図３】
0005600793.tif 000004
【図４】
0005600793.tif 000005
【図５】
0005600793.tif 000006
【図６】
0005600793.tif 000007
【図７】
0005600793.tif 000008